(57)【要約】【課題】  撮像装置において、光源の色温度情報を簡単な手順で取得し、高画質な画像が得られる小型撮像装置を実現する。【解決手段】  シャッタにシャッタ開口部を開放または閉鎖する白色拡散板を加え、前記白色拡散板を透過した光像を撮像し、色温度情報を取得する。【選択図】        図２
2007017576.tif 000002
【特許請求の範囲】
【請求項１】
シャッタ開口部に配置された白色拡散板と、
前記シャッタ開口部が開放しているとき、
前記シャッタ開口部を閉鎖するように前記白色拡散板を駆動可能な駆動機構を備えたことを特徴とするシャッタ。
【請求項２】
請求項１に記載のシャッタと、
撮影レンズから入射した光像を撮像する撮像素子とを有し、
前記撮影レンズと前記撮像素子の間に前記シャッタを配置したことを特徴とする撮像装置。
【請求項３】
前記撮像装置は、
前記白色拡散板を制御する白色拡散板制御手段を有し、
前記撮像素子により前記白色拡散板を透過した光像を撮像する場合において、
前記白色拡散板制御手段は、
前記シャッタ開口部が開放しているとき、
前記シャッタ開口部を閉鎖するように前記白色拡散板を駆動制御することを特徴とする請求項２に記載の撮像装置。
【請求項４】
前記撮像装置は、
前記白色拡散板を透過した光像を撮像した画像情報に基づいて、
被写体像の画像処理を行う画像処理手段を備えたことを特徴とする請求項２または３に記載の撮像装置。
【請求項５】
前記撮像装置は、
測光手段と、
絞りと、
露出制御手段を有し、
前記撮像素子により前記白色拡散板を透過した光像を撮像する場合において、
前記露出制御手段は、
前記測光手段の測光値に基づいて、
前記白色拡散板の透過率を補正した露光を前記撮像素子に与えるシャッタ速度と絞り値を求め、
前記シャッタ速度と前記絞り値になるように前記シャッタと前記絞りを制御することを特徴とする請求項２乃至４のいずれか１項に記載の撮像装置。
【請求項６】
前記撮像装置は、
撮影レンズの焦点位置を制御する焦点制御手段を有し、
前記焦点制御手段は、
前記白色拡散板を透過した光像を撮像する前に、
撮像レンズの焦点位置を非合焦状態にすることを特徴とする請求項２乃至５の何れか１項に記載の撮像装置。
【請求項７】
前記撮像装置は、
撮影レンズの焦点位置を制御する焦点制御手段を有し、
前記焦点制御手段は、前記白色拡散板を透過した光像を撮像するとき、
撮像レンズの焦点位置を移動させながら行うことを特徴とする請求項２乃至５の何れか１項に記載の撮像装置。
【請求項８】
前記白色拡散板は少なくとも２枚の白色板で構成され、
前記シャッタ開口部を閉鎖したとき、白色拡散板の一部が重なり合う部分を持ち、
前記撮像装置は、
前記撮像素子により前記白色拡散板を透過した光像を撮像する場合において、
前記白色拡散板の重なり合う部分を透過した光像で発生する画像ムラを補正する画像ムラ補正手段を有することを特徴とする請求項２乃至７の何れか１項に記載の撮像装置。
【請求項９】
前記白色拡散板を透過した光像で発生する画像ムラの情報をあらかじめ記憶する記憶手段を有することを特徴とする請求項８に記載の撮像装置。
【請求項１０】
被写体像を撮像後、前記白色拡散板を透過した光像を撮像する第１の撮影モードと、
前記白色拡散板を透過した光像を撮像後、連続して被写体像を撮像する第２の撮影モードと、
前記白色拡散板を透過した光像の撮像だけを行う第３の撮影モードのいずれかを一つを選択して設定する撮影モード設定手段を有することを特徴とする請求項２乃至９の何れか１項に記載の撮像装置。
【発明の詳細な説明】
【技術分野】
【０００１】
本発明は、シャッタ及び撮像装置に関する。より詳しくは白色拡散板から構成される白色拡散板を有するシャッタ及び前記シャッタを有する撮像装置に関する。
【背景技術】
【０００２】
撮像装置のホワイトバランスの自動調整方法としては、撮像装置に光源の色温度を測定する測色センサを設け、色温度情報を得て信号処理回路で調整する方法と、撮像装置の撮像出力から被写体を照明する光源の色温度を推定し信号処理回路で調整する方法に大別される。近年は小型化、低コスト化のため測色センサを設けず、撮像装置の撮像出力の色温度情報から被写体を照明する光源の色温度を推定するのが主流である。
【０００３】
その場合、撮像装置の撮像素子により被写体の光像である入射光から、被写体を照明する光源の色温度を推定するため、被写体の色によっては誤った結果になることがある。たとえば、真っ赤な服を着た被写体を画面いっぱいに写した場合、撮像素子出力の赤出力が多くなり光源の色温度が低いと誤判定してしまうことが起こる。このような問題を避けるため、撮像装置の光学系の光路に白色拡散板を置き、被写体からの入射光を十分に拡散させて撮像し、撮像出力から色温度を推定する方法が知られている。しかしながら、手動で半透明白色板を置いてホワイトバランス調整を行うのは、撮影者にとって大変面倒な作業であり、撮影のチャンスを逃すことにもなる。
【０００４】
このような問題を解決する方法としては、電源を投入すると自動的に白色拡散板をレンズの前面に設置して得られた撮像素子出力から光源の色温度を推定してホワイトバランス調整を行い、その後白色拡散板を移動させて撮影を開始する方法（例えば、特許文献１参照）が提案されている。
【０００５】
このような方法において、電源投入から撮影開始までの時間は短い方が良いので、電源投入から撮影開始までのわずかな時間の間にホワイトバランス調整を行うことになる。しかしながら、電源投入直後は絞り制御など光量調整が過渡状態で不安定なため、撮像素子に入射する入射光が不安定な状態で光源の色温度の推定が行われることになる。そのため、ホワイトバランス調整が必ずしも正確に行われない場合があった。
このような問題を解決するため、ホワイトバランス調整に際し、まず白色拡散板を光路上に位置させ、得られた撮像素子出力から光源の色温度を推定してホワイトバランスの初期調整を行い、その後白色拡散板を光路上から移動させて撮影を開始し、再度撮像素子出力からホワイトバランス調整を行う方法（例えば、特許文献２参照）等が提案されている。
【特許文献１】開平４−３２３９３号公報
【特許文献２】特開平９−２１４９８６号公報
【発明の開示】
【発明が解決しようとする課題】
【０００６】
デジタル一眼レフカメラにおいても、光源色温度の正確な情報を得てホワイトバランス調整を行うことが求められている。
【０００７】
上記特許文献１のホワイトバランス調整方法では、レンズの前面に白色拡散板を挿抜可能に配置するので、レンズが大型化する。特にレンズ交換を前提とするデジタル一眼レフカメラの場合は、すべての交換レンズが対応する必要があるので不適である。
【０００８】
また、特許文献２のホワイトバランス調整方法では、白色拡散板を用いながら電源投入時の光量調整が過渡状態の不安定な状態で色温度の推定を行っているので正確な色温度情報が得られず、再度被写体の光像である入射光から、被写体を照明する光源の色温度を推定してホワイトバランス調整を行っている。そのため、撮影時に被写体の色の影響を受けて光源の色温度の推定を誤る場合があった。
【０００９】
本発明は、上記課題に鑑みてなされたものであって、白色拡散板を光路上に短時間で挿抜可能な小型シャッタと、前記シャッタを制御し、白色拡散板の透過光から得られた色温度情報に基づいて正しいホワイトバランス調整がなされた高画質画像が簡単な手順で撮影できる小型撮像装置を提供することを目的とする。
【課題を解決するための手段】
【００１０】
本発明の目的は、下記構成により達成することができる。
【００１１】
（請求項１）
シャッタ開口部に配置された白色拡散板と、
前記シャッタ開口部が開放しているとき、
前記シャッタ開口部を閉鎖するように前記白色拡散板を駆動可能な駆動機構を備えたことを特徴とするシャッタ。
【００１２】
（請求項２）
請求項１に記載のシャッタと、
撮影レンズから入射した光像を撮像する撮像素子とを有し、
前記撮影レンズと前記撮像素子の間に前記シャッタを配置したことを特徴とする撮像装置。
【００１３】
（請求項３）
前記撮像装置は、
前記白色拡散板を制御する白色拡散板制御手段を有し、
前記撮像素子により前記白色拡散板を透過した光像を撮像する場合において、
前記白色拡散板制御手段は、
前記シャッタ開口部が開放しているとき、
前記シャッタ開口部を閉鎖するように前記白色拡散板を駆動制御することを特徴とする請求項２に記載の撮像装置。
【００１４】
（請求項４）
前記撮像装置は、
前記白色拡散板を透過した光像を撮像した画像情報に基づいて、
被写体像の画像処理を行う画像処理手段を備えたことを特徴とする請求項２または３に記載の撮像装置。
【００１５】
（請求項５）
前記撮像装置は、
測光手段と、
絞りと、
露出制御手段を有し、
前記撮像素子により前記白色拡散板を透過した光像を撮像する場合において、
前記露出制御手段は、
前記測光手段の測光値に基づいて、
前記白色拡散板の透過率を補正した露光を前記撮像素子に与えるシャッタ速度と絞り値を求め、
前記シャッタ速度と前記絞り値になるように前記シャッタと前記絞りを制御することを特徴とする請求項２乃至４のいずれか１項に記載の撮像装置。
【００１６】
（請求項６）
前記撮像装置は、
撮影レンズの焦点位置を制御する焦点制御手段を有し、
前記焦点制御手段は、
前記白色拡散板を透過した光像を撮像する前に、
撮像レンズの焦点位置を非合焦状態にすることを特徴とする請求項２乃至５の何れか１項に記載の撮像装置。
【００１７】
（請求項７）
前記撮像装置は、
撮影レンズの焦点位置を制御する焦点制御手段を有し、
前記焦点制御手段は、前記白色拡散板を透過した光像を撮像するとき、
撮像レンズの焦点位置を移動させながら行うことを特徴とする請求項２乃至５の何れか１項に記載の撮像装置。
【００１８】
（請求項８）
前記白色拡散板は少なくとも２枚の白色板で構成され、
前記シャッタ開口部を閉鎖したとき、白色拡散板の一部が重なり合う部分を持ち、
前記撮像装置は、
前記撮像素子により前記白色拡散板を透過した光像を撮像する場合において、
前記白色拡散板の重なり合う部分を透過した光像で発生する画像ムラを補正する画像ムラ補正手段を有することを特徴とする請求項２乃至７の何れか１項に記載の撮像装置。
【００１９】
（請求項９）
前記白色拡散板を透過した光像で発生する画像ムラの情報をあらかじめ記憶する記憶手段を有することを特徴とする請求項８に記載の撮像装置。
【００２０】
（請求項１０）
被写体像を撮像後、前記白色拡散板を透過した光像を撮像する第１の撮影モードと、
前記白色拡散板を透過した光像を撮像後、連続して被写体像を撮像する第２の撮影モードと、
前記白色拡散板を透過した光像の撮像だけを行う第３の撮影モードのいずれかを一つを選択して設定する撮影モード設定手段を有することを特徴とする請求項２乃至９の何れか１項に記載の撮像装置。
【発明の効果】
【００２１】
請求項１に記載の発明によれば、シャッタと一体に白色拡散板と前記白色拡散板を駆動する駆動機構を設けるので、撮像装置への実装が容易な白色拡散板付き小型シャッタを提供できる。
【００２２】
請求項２に記載の発明によれば、撮影レンズと撮像素子の間に前記シャッタを配置するので、撮影レンズから入射した光が白色拡散板を透過した透過光を前記撮像素子で撮像し、光源の色温度情報を得ることができる小型撮像装置を提供できる。
【００２３】
請求項３に記載の発明によれば、シャッタが開放状態のとき白色拡散板を閉鎖状態に制御できるので、タイミング良く色温度情報の得られる撮像装置を提供できる。
【００２４】
請求項４に記載の発明によれば、白色拡散板を透過した光像を撮像した画像情報に基づいて、
被写体像の画像処理を行うので、高画質画像が得られる撮像装置を提供できる。
【００２５】
請求項５に記載の発明によれば、露出制御手段が前記測光手段の測光値に基づいて白色拡散板の透過率を補正した露出制御を行ってから、前記白色拡散板を透過した光像を前記撮像素子が撮像するので、適正に露出された画像データから色温度情報を得て、適正なホワイトバランス調整がなされた高画質画像が得られる小型撮像装置を提供できる。
【００２６】
請求項６に記載の発明によれば、前記白色拡散板を透過した光像を前記撮像素子が撮像するとき、撮像レンズの焦点位置を非合焦状態にするので、白色拡散板の色ムラや濃度差などの影響を受けることの無い、光源の色温度情報が得られる高画質撮像装置を提供できる。
【００２７】
請求項７に記載の発明によれば、前記白色拡散板を透過した光像を前記撮像素子が撮像するとき、撮像レンズの焦点位置を移動させながら行うので、白色拡散板の色ムラや濃度差などの影響を受けることの無い、光源の色温度情報が得られる高画質撮像装置を提供できる。
【００２８】
請求項８に記載の発明によれば、前記白色拡散板を透過した光像を撮像した画像のムラを画像処理で補正して、光源の色温度情報を得るので、白色拡散板の重なった部分の濃度ムラなどの影響を受けずに色温度情報が得られる高画質撮像装置を提供できる。
【００２９】
請求項９に記載の発明によれば、前記白色拡散板の透過光のムラ情報をあらかじめ記憶媒体に記憶しているので、白色拡散板の重なった部分の濃度ムラなどの画像処理を短時間で補正することができる高画質撮像装置を提供できる。
【００３０】
請求項１０に記載の発明によれば、被写体像を撮像素子に露光後、白色拡散板を透過した光像を撮像する第１の撮影モードと、
白色拡散板を透過した光像を撮像後、連続して被写体像を撮像素子に露光する第２の撮影モードと、
白色拡散板を透過した光像の撮像だけを行う第３の撮影モードのいずれかを一つを選択して設定する撮影モード設定手段を有しているので、撮影状況や撮影意図に応じて適切な撮影モードを設定することができる高機能な撮像装置を提供できる。
【発明を実施するための最良の形態】
【００３１】
以下、図面に基づき本発明の実施の形態を説明する。
【００３２】
図１及び図２は本発明に係るシャッタ５１の実施の形態を示す分解斜視図及び側面図である。
【００３３】
図１において、基板１にはシャッタ開口１ａが形成されるとともにシャッタ駆動室２が形成されている。シャッタ駆動室２には後述する電磁石、レバー及び駆動バネ等の駆動部が収納されている。基板１の上にはシャッタ開口１ａを閉鎖するための第１のシャッタ部材３が載置され、第１のシャッタ部材３の上にはシャッタ開口４ａが形成された仕切板４が載置され、この仕切板４の上には第２のシャッタ部材５が載置されている。シャッタ駆動室２は第１のシャッタ部材３と第２のシャッタ部材５の作動を制御する。
【００３４】
第２のシャッタ部材５の上には、第１の間隔羽根６を介してシャッタ開口７ａを有する受板７が載置されている。この受板７の上には白色拡散板８が載置されている。白色拡散板８の上には、第２の間隔羽根９を介してシャッタ開口１０ａを有する台板１０が載置されている。台板１０には、シャッタ開口１０ａが形成されるとともに白色拡散板駆動室１１が形成されている。白色拡散板駆動室１１は本発明の駆動機構である。白色拡散板駆動室１１には後述する電磁石、レバー及び駆動バネ等の駆動部が収納され、白色拡散板８の作動を制御する。
【００３５】
このようにして、基板１には第１のシャッタ部材３、仕切板４、第２のシャッタ部材５、第１の間隔羽根６、受板７、白色拡散板８、第２の間隔羽根９が組込まれて台板１０が取り付けられている。
【００３６】
すなわち、図２に示すように基板１と、撮像素子１００側に位置する台板１０とによってシャッタ部材の収納室を構成し、第２のシャッタ部材５が撮像素子１００側に、第１のシャッタ部材３が図示せぬ撮影レンズ３００側に位置することになり、これら第２のシャッタ部材５と第１のシャッタ部材３との間に仕切板４が介装されていることになる。
【００３７】
ここで第１のシャッタ部材３と第２のシャッタ部材５及び白色拡散板８は図に示す実施の形態のように、複数のシャッタ部材３ａ、３ｂ、３ｃ、３ｄ、３ｅ及び５ａ、５ｂ、５ｃ、５ｄ、５ｅと白色拡散板８ａ、８ｂ、８ｃ、８ｄ、８ｅを重ね合わせたものである。但し、第１のシャッタ部材３、第２のシャッタ部材５及び白色拡散板８はそれぞれ大きな一枚のシャッタ羽根でもよい。第１のシャッタ部材３と第２のシャッタ部材５は遮光部材で構成され、白色拡散板８は半透明の白色拡散板で構成されている。
【００３８】
図１では第１のシャッタ部材３と白色拡散板８はそれぞれ重なり合って収納されている状態を示している。後述する駆動機構により第１のシャッタ部材３と白色拡散板８は図１の矢印Ｓの方向に移動して、図１の第２のシャッタ部材５のようにシャッタ開口１０ａを閉鎖した状態になる。また、第２のシャッタ部材５は図１の矢印Ｓの方向に移動し、図１の上部に重なり合って収納される。
【００３９】
図３はシャッタ駆動室２による第２のシャッタ部材５の制御を説明するための模式図である。
【００４０】
シャッタ駆動室２には第１のシャッタ部材３と第２のシャッタ部材５の制御部がある。第２のシャッタ部材５の制御部は図３に模式的に示すように、主として、第２の羽根アーム１２を回動させるための第２のレバー１７と、第２のレバー１７を制御するための第２の電磁石１８から構成される。第１のシャッタ部材３の制御部も１２に相当する第１の羽根アームと１７に相当する第１のレバーと第１のレバーを制御するための１８に相当する第１の電磁石から構成される。
【００４１】
また、白色拡散板駆動室１１には白色拡散板８の制御部がある。白色拡散板８の制御部も同様に１２に相当する第３の羽根アームと１７に相当する第３のレバーと第３のレバーを制御するための１８に相当する第３の電磁石から構成される。
【００４２】
ここでは、図３を用いて第２のシャッタ部材５の制御について説明する。
【００４３】
第２のシャッタ部材５は図３に示すように、シャッタ開口７ａを閉鎖した状態（セット状態において）は、シャッタ羽根５ａ、５ｂ、５ｃ、５ｄ、５ｅがそれぞれ一対の平行なリンクをなす第２の羽根アーム１２ａ、１２ｂにピン連設されており、この一対の第２の羽根アーム１２ａ、１２ｂはピン１３ａ、１３ｂを介して受板７に回動自在に取り付けられている。
【００４４】
第２の羽根アーム１２ａ、１２ｂは第２の駆動バネ１６によってピン１３ａ、１３ｂを中心として左旋し、シャッタ羽根５ａ、５ｂ、５ｃ、５ｄ、５ｅが図３の矢印Ｓ方向に移動するように付勢されている。また、第２のレバー１７は羽根アーム１２ａ、１２ｂと連動するように構成されている。
【００４５】
図３のセット状態にするためには、図３には図示せぬミラー駆動部９１のモータなどの駆動部材により、第２のレバー１７を駆動し、第２の駆動バネ１６に逆らって第２の羽根アーム１２ａ、１２ｂを右旋させ、第２のレバー１７に固定された鉄片１７ａを、第２の電磁石１８の鉄芯１８ａに圧接させる。第２の電磁石１８を通電して励磁すると第２のレバー１７は吸着され、図３の状態に固定される。第２の電磁石１８の通電を停止すると、第２のレバー１７は開放され、第２の駆動バネ１６により第２の羽根アーム１２ａ、１２ｂは左旋し、シャッタ羽根５ａ、５ｂ、５ｃ、５ｄ、５ｅが上部に移動する。シャッタ羽根５ａ、５ｂ、５ｃ、５ｄ、５ｅが上端まで移動すると、シャッタ開口７ａは完全に開放する。
【００４６】
第１のシャッタ部材３、白色拡散板８も同様にシャッタ部材３ａ、３ｂ、３ｃ、３ｄ、３ｅ及び白色拡散板８ａ、８ｂ、８ｃ、８ｄ、８ｅがそれぞれ一対の平行なリンクをなす図示せぬ第１の羽根アーム及び第３の羽根アームにピン連設されており、この一対の第１の羽根アーム及び第３の羽根アームが図示せぬピンを介して基板１、台版１０に回動自在に取り付けられている。
【００４７】
第１のシャッタ部材３、白色拡散板８の制御も第２のシャッタ部材５の制御と同様である。図示せぬ第１の羽根アーム、第３の羽根アームは図示せぬ第１の駆動バネ、第３の駆動バネによって図示せぬピンを中心として左旋し、シャッタ羽根３ａ、３ｂ、３ｃ、３ｄ、３ｅおよび白色拡散板８ａ、８ｂ、８ｃ、８ｄ、８ｅが図３の矢印Ｓ方向に移動するように付勢されている。また、図示せぬ第１のレバー、第３のレバーは羽根アーム１２ａ、１２ｂと連動するように構成されている。シャッタ羽根３ａ、３ｂ、３ｃ、３ｄ、３ｅおよび白色拡散板８ａ、８ｂ、８ｃ、８ｄ、８ｅはセット状態ではシャッタ開口４ａ、シャッタ開口１０ａを開放するように構成されている。
【００４８】
セット状態にするためには、図３には図示せぬミラー駆動部９１の駆動部材により前記第１のレバー、前記第３のレバーを駆動して前記第１の羽根アームと前記第３の羽根アームを右旋させ、第１の電磁石２０、第３の電磁石２１を通電し、前記第１のレバー、前記第３のレバーは吸着し固定する。第１の電磁石２０、第３の電磁石２１の通電を停止すると、前記第１のレバー、前記第３のレバーは開放され、前記第１の駆動バネ、前記第３の駆動バネにより第１の羽根アーム、第３の羽根アームは左旋し、シャッタ部材３ａ、３ｂ、３ｃ、３ｄ、３ｅおよび白色拡散板８ａ、８ｂ、８ｃ、８ｄ、８ｅが図３の矢印Ｓ方向に移動する。シャッタ部材３ａ、３ｂ、３ｃ、３ｄ、３ｅおよび白色拡散板８ａ、８ｂ、８ｃ、８ｄ、８ｅが上端まで移動すると、シャッタ開口４ａ、シャッタ開口１０ａは完全に閉鎖する。
【００４９】
図４は、本発明に係る撮像装置を適用した一実施形態であるデジタルカメラ１０１の概略構成を示す外観背面図である。
【００５０】
カメラ本体部２００の上面側にはシャッタボタン６１と撮影モードダイアル６４が設けられている。カメラ本体部２００の背面側には電源スイッチ１０２、液晶モニタ８１、モードスイッチ６２、表示切り替えボタン６３、十字キー６５、実行ボタン６６、ファインダ１０４、ファインダ接眼部１０５、メモリカード蓋８２が設けられている。
【００５１】
モードスイッチ６２は撮影モードと再生モードおよびセットアップモードを切り替えるスイッチである。撮影モードは、写真撮影を行うモードであり、再生モードは、メモリカード２５に記録された撮影画像を液晶モニタ８１に再生表示するモードである。セットアップモードは各種設定を行うモードである。セットアップモードでは、記録モードをメモリカード２５に記録する撮影画像を画像処理後圧縮して記録するモードと、撮影画像を画像処理を行わず非圧縮のまま記録するモード、画像処理後圧縮した画像と画像処理を行わず非圧縮のままの画像の両方を記録するモード、のいずれかを設定できる。セットアップモードにおける各種設定は、セットアップモードを選択した後、液晶モニタ８１に表示される設定画面を見ながら、十字キー６５、実行ボタン６６で設定する。
【００５２】
本実施の形態における撮影モード設定手段である撮影モードダイアル６４は撮影モードを切り替えるダイアルである。撮影モードには１コマ撮影モードＡ、１コマ撮影モードＢ、連続して撮影を行う連写モードＡ、連写モードＢ、色温度情報測定モードが選択できる。
【００５３】
１コマ撮影モードＡはシャッタボタン６１を全押し（ＳＷ２  ＯＮ）すると、１コマ被写体像を撮像後、白色拡散板８を透過した光像を１コマ撮像して光源の色温度情報を得る、本実施の形態における第１の撮影モードである。１コマ撮影モードＢはシャッタボタン６１を全押し（ＳＷ２  ＯＮ）すると、１コマ被写体像を撮像を行うが、白色拡散板８を透過した光像を撮像しないモードである。
【００５４】
連写モードＡはシャッタボタン６１を全押し（ＳＷ２  ＯＮ）すると、白色拡散板８を透過した光像を１コマ撮像して光源の色温度情報を得た後、シャッタボタン６１を全押し（ＳＷ２  ＯＮ）している間、所定の時間間隔で連続して被写体像の撮像が行われる、本実施の形態における第２の撮影モードである。連写モードＢはシャッタボタン６１を全押し（ＳＷ２  ＯＮ）すると被写体像の撮像が開始され、シャッタボタン６１を全押し（ＳＷ２  ＯＮ）している間、所定の時間間隔で連続して撮影が行われるモードである。
【００５５】
色温度情報測定モードは本実施の形態における第３の撮影モードであり、シャッタボタン６１を全押し（ＳＷ２  ＯＮ）すると、白色拡散板８を透過した光像を１コマ撮像して光源の色温度情報を得るモードである。
【００５６】
連写モードにおいて連続して撮影する枚数の設定は、液晶モニタ８１に表示される設定画面を見ながら、十字キー６５、実行ボタン６６で設定する。色温度情報を得るための撮像の手順については後に詳しく説明する。
【００５７】
図４に示したデジタルカメラ１０１の内部構成を、図５を用いて説明する。図５（ａ）、図５（ｂ）は図４１のデジタルカメラ１０１の側面から見た断面図である。図５（ａ）は撮像前の状態、図５（ｂ）は被写体像を撮像中の状態、図５（ｃ）は白色拡散板８を透過した光像を撮像中の状態である。
【００５８】
最初に図５（ａ）について説明する。図５（ａ）のように撮影前の状態では、シャッタ５１の第２のシャッタ部材５が光路を閉鎖している。
【００５９】
デジタルカメラ１０１は、レンズ交換可能な、いわゆるデジタル一眼レフカメラであり、主としてカメラ本体部２００と、カメラ本体部２００と結合する撮影レンズ３００とから構成される。
【００６０】
撮影レンズ３００は主として、レンズ鏡胴３１、レンズ鏡胴３１の内部に設けられる複数のレンズ群３２、絞り３３等から構成される。複数のレンズ群３２の光軸Ｌに沿って入射した光の大部分は、第１のミラー３４ａにより９０度直角に上部方向（紙面上向き方向）に曲げられ、焦点板３８に結像する。結像した光像はペンタプリズム３５内部で２回反射し、接眼レンズ１０４を通して被写体像を、撮影者が見るように構成されている。ペンタプリズム３５の上部に設けられた本発明の測光手段である測光センサ４１は、前記焦点板３８上に結像した被写体像を測光し、被写体の輝度分布の情報を得て自動露出を行う目的で設けられている。
【００６１】
一方、複数のレンズ群３２の光軸Ｌに沿って入射した光の一部は、半透過鏡である第１のミラー３４ａを透過し、第２のミラー３４ｂに入射する。前記入射光は第２のミラー３４ｂにより９０度直角に下部方向（紙面下向き方向）に曲げられ、光軸Ｌ２となってＡＦセンサ光学ユニット３６に入射し、測距センサ４２上に結像する。
【００６２】
次に撮影中の状態について図５（ｂ）を用いて説明する。
【００６３】
撮影中は図示せぬミラー駆動部９１により第１のミラー３４ａ、第２のミラー３４ｂは光軸Ｌ１から退避し、カメラ本体部２００の上部に格納される。図５（ｂ）は、シャッタ５１の第２のシャッタ部材５が開放し、複数のレンズ群３２から入射した光は、撮像素子１００上に結像している状態である。
【００６４】
なお、本実施の形態において撮像素子１００は、ＣＣＤセンサ、ＣＭＯＳセンサ、ＣＩＤセンサ等の固体撮像素子のいずれであってもよい。撮像素子１００にて取得された画像は図示せぬ回路基板でデジタル信号に変換し、画像処理を行った後、メモリカード２５に記録する。
【００６５】
フラッシュ９４は図５（ａ）ではカメラ本体部２００の内部に収納された状態を図示し、図５（ｂ）ではカメラ本体部２００から発光部分が飛び出して、被写体に向けて発光できる状態を図示している。
【００６６】
フラッシュ撮影時はフラッシュ撮影に先だって、フラッシュ９４を予備発光し、被写体からの反射光を測光して、本発光時の光量を設定している。
【００６７】
シャッタ５１の第２のシャッタ部材５がまだ閉じている状態で、フラッシュ９４を所定の光量で発光すると、被写体で反射した反射光は複数のレンズ群３２を通って入射し、第２のシャッタ部材５の表面で反射し、フラッシュ光量測光センサ４３上に結像するように構成されている。
【００６８】
撮影レンズ３００はズームレンズとして構成され、レンズ群３２の配置を変更することにより、焦点距離（撮像倍率）を変更可能としている。
【００６９】
撮像素子１００は、カラーフィルタがそれぞれ付された微細な画素群で構成される撮像素子であり、撮影レンズ３００によって結像される被写体の光像（被写体像）を、例えばＲＧＢの色成分を有する画像信号に光電変換する。撮像素子１００の受光面は結像平面と一致するように配置され、イメージサークルを含む結像平面の一部の領域が画像データ（本明細書中では、適宜単に「画像」ともいう。）として取得されることとなる。
【００７０】
次に、白色拡散板８を透過した光像を撮像中の状態について図５（ｃ）を用いて説明する。
【００７１】
図５（ｂ）と同様に撮像中は図示せぬミラー駆動機構により第１のミラー３４ａ、第２のミラー３４ｂは光軸Ｌ１から退避し、カメラ本体部２００の上部に格納される。シャッタ５１の白色拡散板８が上方に開き光路を閉鎖した後、第２のシャッタ部材５が上方に移動して光路を開放し、撮像素子１００に露光する。白色拡散板８は白色拡散板で構成されているので、白色拡散板で拡散された光束の一部は白色拡散板８を透過し、撮像素子１００上に結像する。
【００７２】
図６は、図４、図５のデジタルカメラ１０１の主たる機能構成を示すブロック図である。なお、図１〜図５に示したものと同じ構成要素には同符号を付して説明を省略する。
【００７３】
デジタルカメラ１０１は、Ａ／Ｄ変換部２１、本発明の画像処理手段である画像処理部２２、操作部６０、メインマイコン部７００、バッファメモリ２６、画像メモリ２３、メモリカード２５等を有する。
【００７４】
制御手段として機能するメインマイコン部７００は、マイクロコンピュータを備えて構成される。すなわち、メインマイコン部７００は、各種演算処理を行うＣＰＵ７０と、演算を行うための作業領域となるＲＡＭ７５と、制御プログラムや初期データ等が記憶される本発明の記憶手段であるＲＯＭ７６とを備え、デジタルカメラ１０１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００７５】
操作部６０の独立して設けられた複数の操作部材であるシャッタボタン６１、モードスイッチ６２、表示切り替えボタン６３、撮影モードダイアル６４、十字キー６５，実行ボタン６６および電源スイッチ１０２の出力はメインマイコン部７００に入力されている。
【００７６】
操作者（ユーザ）は、この操作部６０にて所定の操作を行うことにより、各種の設定操作を行うことができる。
【００７７】
例えば、電源スイッチ１０２で電源のＯＮ／ＯＦＦ操作も行うことができる。また、撮影モードダイアル６４は１コマ撮影モードＡ、１コマ撮影モードＢ、連写モードＡ、連写モードＢ、色温度情報測定モードを切り替えるダイアルである。
【００７８】
シャッタボタン６１には半押しでＯＮになるスイッチＳＷ１と全押しでＯＮになるスイッチＳＷ２が連動しており、ＣＰＵ７０がＳＷ１  ＯＮ、ＳＷ２  ＯＮのタイミングを検知できるようになっている。
【００７９】
図６の撮影レンズ３００は、ズーム・フォーカス駆動部３３２および絞り駆動部３３１を備えている。ズーム・フォーカス駆動部３３２は、ユーザにより設定される焦点距離となるように、また、焦点が合うように（フォーカシング）レンズ群３２に含まれるレンズを適宜光軸方向に駆動する。
【００８０】
絞り駆動部３３１は、ＡＥ制御部７２により設定される絞り値となるように絞り３３の開口径を調整するものである。ズーム・フォーカス駆動部３３２は電気的にメインマイコン部７００に接続され、ＡＦ制御部７１の制御下にて動作する。また、絞り駆動部３３１も電気的にメインマイコン部７００に接続され、ＡＥ制御部の制御下にて動作する。
【００８１】
ミラー駆動部９１はメインマイコン部７００の指令により、ミラー３４を駆動し、撮影レンズ３００の光路から退避させる。また、ミラー３４に連動する図示せぬ駆動部材はシャッタ５１の前記第１のレバー、第２のレバー１７、前記第３のレバーを駆動し、シャッタ５１をセット状態にする。
【００８２】
シャッタ５１のシャッタ駆動室２はメインマイコン部７００の指令によりに第１のシャッタ部材３と第２のシャッタ部材５を制御する。また、白色拡散板駆動室１１はメインマイコン部７００の指令により白色拡散板８を制御する。
【００８３】
Ａ／Ｄ変換部２１、バッファメモリ２６、画像処理部２２および画像メモリ２３は、撮像素子１００にて取得された画像を扱う処理部を示している。
【００８４】
撮像素子１００にて取得されたアナログ信号の画像は、Ａ／Ｄ変換部２１にてたとえば１４ビットのデジタル信号に逐次変換され、デジタル画像データとしてバッファメモリ２６に一時記憶される。前記画像データを画像処理を行う前の生データ、すなわちＲＡＷデータと呼ぶ。連写モードでは、設定された所定の撮影枚数のＲＡＷデータがバッファメモリ２６に一時記憶される。
【００８５】
画像処理部２２は、ＷＢ（Ｗｈｉｔｅ  Ｂａｌａｎｃｅ）補正部２２１、画像ムラ補正部２２２、画素補間、リニアマトリクス、ガンマ補正、色差マトリクス処理、輪郭補正、画像圧縮などの画像処理機能を有する。ガンマ補正、輪郭補正、ＷＢ補正の補正量の設定値はメインマイコン部７００からの指令により設定される。
【００８６】
ＷＢ補正部２２１は、ホワイトバランス補正手段であり、ＣＰＵ７０の色温度算出部７４が設定する係数を、撮像素子１００から得た前記ＲＡＷデータのＲとＢの画像データにそれぞれかけ算し、ホワイトバランスを調整する。
【００８７】
画像ムラ補正部２２２は本発明の画像ムラ補正手段である。画像ムラ補正部２２２は色温度情報の取得のために前記白色拡散板が閉鎖状態のとき、白色拡散板８ａ、８ｂ、８ｃ、８ｄ、８ｅが互いに重なった部分で生じる画像出力のムラを画像処理で補正する。具体的には画像ムラ補正部２２２は画像出力の輝度値が所定値以下の部分をシャッタ羽根が互いに重なった部分と判定し、その部分の画像データを除去して色温度算出用の画像データとする。
【００８８】
別法として、白色拡散板８ａ、８ｂ、８ｃ、８ｄ、８ｅが互いに重なる部分の画像上の位置情報をデジタルカメラ１０１の出荷時にＲＯＭ７６に記録しておき、画像ムラ補正部２２２は前記位置情報に基づいて不要な画像データを除去するようにすると画像処理時間を短縮できる。または、前記位置情報に基づいて重なる部分の画像データに係数をかけて補正し、色温度算出用の画像データとしても良い。
【００８９】
なお、白色拡散板８を大きな１枚の板で構成した場合は羽根状の板が互いに重なったためにおこる画像ムラは発生しないので、必ずしもこのような補正を行う必要はない。
【００９０】
色温度情報算出部７４は、画像ムラ補正部２２２で補正された色温度算出用の画像データに基づいて色温度情報を算出する。具体的には前記画像データのＲ、Ｇ、Ｂの平均値を求め色温度情報である係数Ｇ／Ｒ、Ｇ／Ｂを算出する。前述のようにＷＢ補正部２２１は、係数Ｇ／Ｒ、Ｇ／Ｂを撮像素子１００から得た前記ＲＡＷデータのＲとＢの画像データにそれぞれかけ算し、ホワイトバランスを調整する。
【００９１】
ＡＥ制御部７２は、測光センサ４１より得られた被写体輝度の測光値により露出値を得て、シャッタ駆動部９３と絞り駆動部３３１を制御し所定のシャッタ速度と絞り値に調整することによって自動露出制御を実現する。ＡＥ制御部７２は本発明の露出制御手段およびシャッタ制御手段である。
【００９２】
測距センサ４２は自動合焦制御に、測光センサ４１とフラッシュ光量測光センサ４３は自動露出制御に用いられるセンサである。メインマイコン部７００は、入力された各センサの出力電圧をデジタル値に変換し、メインマイコン部７００に入力する、図示せぬＡ／Ｄ変換部を備えて構成されている。
【００９３】
メインマイコン部７００は、自動合焦制御部（以下、ＡＦ制御部と呼ぶ）７１、本発明の露出制御手段である自動露出制御部（以下、ＡＥ制御部と呼ぶ）７２、焦点制御部７３、色温度情報算出部７４などの各種の制御機能を有する。メインマイコン部７００の各種の機能は、予めＲＯＭ７６内に記憶される制御プログラムに従ってＣＰＵ７０が演算処理を行うことにより実現される。
【００９４】
また、圧縮後の画像をメモリカード２５に記録したり、またＬＣＤ８１などに表示出力する制御機能も持っている。このような画像に対する各種の処理もメインマイコン部７００の制御に基づいて行われる。
【００９５】
ＡＦ制御部７１は、本発明の焦点制御手段である。ＡＦ制御部７１は、測距センサ４２より得られた輝度情報により合焦用評価値を得て、撮影レンズ３００の焦点位置を調整することによって自動合焦制御を実現する。また、調整後の撮影レンズ３００の焦点位置から被写体までの距離情報を得ることができる。
【００９６】
図７はデジタルカメラ１０１の撮影時におけるシャッタ５１の動作を説明するための説明図である。図７はデジタルカメラ１０１の内部構成であり、図５と同じ部品で構成されるが、説明のため必要な部品だけを図示し、シャッタ５１の構成は図５より詳しく図示している。各部の同じ部品には同番号を付し説明を省略する。矢印Ｓの方向は第１のシャッタ部材３、第２のシャッタ部材５、白色拡散板８が移動する方向を示している。
【００９７】
図７（ａ）は撮影前の状態である。シャッタ５１は図３で説明したセット状態である。第１のシャッタ部材３と白色拡散板５は開放状態であり、第２のシャッタ部材５は閉鎖状態である。
【００９８】
図７（ｂ）は撮影中の状態で、第１のミラー３４ａ、第２のミラー３４ｂは光軸Ｌ１から退避し、カメラ本体部２００の上部に格納されている。また、第２のシャッタ部材５は上方に移動を終え、光路を開放している。
【００９９】
図７（ｃ）は撮影が終了し、第１のシャッタ部材３が上方に移動し、光路を閉鎖した状態である。なお、図７では白色拡散板８が上方に移動しているが、白色拡散板８は移動しても移動しなくてもどちらでも良い。
【０１００】
図７（ｄ）は白色拡散板８が上方に移動を終えた状態である。
【０１０１】
図７（ｅ）は第２のシャッタ部材５が上方に移動を終え、白色拡散板８だけが光路中に入っている状態である。
【０１０２】
図８は本発明の第１の実施形態におけるデジタルカメラ１０１が被写体像を撮像後、白色拡散板８を透過した光像を撮像する第１の撮影モードの概略の手順を説明するフローチャートである。第１の実施形態では、被写体像を撮像後、被写体を照明する光源の色温度情報はまだ取得する前に被写体の撮影を行うので、シャッタチャンスを優先して撮影できる。
【０１０３】
なお、図８においては、デジタルカメラ１０１の電源が投入され、撮影モードとして１コマ撮影モードＡが選択されて撮影待機状態になってからの処理について説明する。
【０１０４】
シャッタボタン６１が半押し（ＳＷ１  ＯＮ）になると（ステップＳ１０１）、ＡＦ制御部７１は測距センサ４２の出力に応じて自動焦点制御を行う。焦点調節後に被写体までの距離Ｘ１の情報をＲＡＭ７５に記録する（ステップＳ１０２）。
【０１０５】
ＡＥ制御部７２は測光センサ４１の出力した測光値Ｂ１から、露出値ＥＶ１（ＥＶ）を求め、測光値Ｂ１と露出値ＥＶ１（ＥＶ）をＲＡＭ７５に記録する（ステップＳ１０３）。
【０１０６】
次に、シャッタボタン６１が全押し（ＳＷ２  ＯＮ）かどうか、を判定する（ステップＳ１０４）。シャッタボタン６１が全押し（ＳＷ２  ＯＮ）ではない場合（ステップＳ１０４；Ｎｏ）ステップＳ１０２に戻り、再度自動焦点制御を行う。シャッタボタン６１が全押し（ＳＷ２  ＯＮ）の場合（ステップＳ１０４；Ｙｅｓ）、メインマイコン部７００は撮影のシーケンスを開始し、ミラー駆動部９１に指令を送り、ミラー３４を撮影レンズ３の光路から退避させる（ステップＳ１０５）。
【０１０７】
次に、ＡＥ制御部７２はＲＡＭ７５に記録された露出値ＥＶ１（ＥＶ）から絞り値とシャッタ速度の組み合わせを求め、絞り駆動部３３１に指令して絞り３３を前記絞り値に設定する（ステップＳ１０６）。ＡＥ制御部７２はシャッタ５１の第２のシャッタ部材５が上方に移動して光路を開放するよう、シャッタ駆動室２に指令する（ステップＳ１０７）。
【０１０８】
ステップＳ１０６で求めたシャッタ速度により決定される露光時間の間、撮像素子１００に露光し（ステップＳ１０８）、ＡＥ制御部７２はシャッタ５１の第１のシャッタ部材３が上方に移動して光路を閉鎖するよう、シャッタ駆動室２に指令する（ステップＳ１０９）。
【０１０９】
メインマイコン部７００は撮像素子１００から読み出した画像データをコマ番号とともにバッファメモリ２６に一時記憶し、所定のタイミングでミラー駆動部９１に指令を送り、ミラー３４を所定の位置に復帰させる（ステップＳ１１０）。ミラー３４に連動して、シャッタ５１は図７（ａ）に示すセット状態に戻り、第１のシャッタ部材３、白色拡散板８は開放状態に、第２のシャッタ部材５は閉鎖状態に戻る。
【０１１０】
ステップＳ１１０までの手順で、被写体の撮影が終了である。次のステップＳ１１１以降のステップで、白色拡散板８を用いて、ステップＳ１０８で撮像した被写体を照明する光源の色温度情報を取得する手順について説明する。
【０１１１】
ステップＳ１１１において、ＡＦ制御部７１はズーム・フォーカス駆動部３３２に指令し、撮影レンズ３００の焦点距離をワイド端に移動させ（ステップＳ１１１）、焦点位置を非合焦状態まで移動させて停止させる（ステップＳ１１２）。また、メインマイコン部７００はミラー駆動部９１に指令を送り、ミラー３４を撮影レンズ３の光路から退避させる（ステップＳ１１３）。ＡＥ制御部７２はＲＡＭ７５に記録された露出値ＥＶ１（ＥＶ）から、白色拡散板８の透過率を補正して、絞り値とシャッタ速度の組み合わせを求め、絞り駆動部３３１に指令して絞り３３を前記絞り値に設定する（ステップＳ１１４）。
【０１１２】
ＡＥ制御部７２はシャッタ５１の白色拡散板８が上方に移動して光路に入るよう、白色拡散板駆動室１１に指令する（ステップＳ１１５）。
【０１１３】
次に、ＡＥ制御部７２はシャッタ５１の第２のシャッタ部材５が上方に移動して光路を開放するよう、シャッタ駆動室２に指令する（ステップＳ１１６）。
【０１１４】
白色拡散板８がシャッタ開口部を閉鎖している状態で、ステップＳ１１４で求めたシャッタ速度により決定される露光時間の間、撮像素子１００に露光し（ステップＳ１１７）、ＡＥ制御部７２はシャッタ５１の第１のシャッタ部材３が上方に移動して光路を閉鎖するよう、シャッタ駆動室２に指令する（ステップＳ１１９）。
【０１１５】
メインマイコン部７００は撮像素子１００から読み出した画像データをバッファメモリ２６に一時記憶し、ミラー３４を所定の位置に復帰させる（ステップＳ１１９）。ミラー３４に連動して、シャッタ５１は図９（ａ）に示すセット状態に戻り、第１のシャッタ部材３、白色拡散板８は開放状態に、第２のシャッタ部材５は閉鎖状態に戻る。
【０１１６】
メインマイコン部７００はステップＳ１１９でバッファメモリ２６に一時記憶されたステップＳ１１７で露光された１コマの画像データを画像ムラ補正部２２２に送り画像ムラの補正を行う（ステップＳ１２０）。色温度情報算出部７４はステップＳ１２０で画像ムラを補正された画像データから、Ｒ、Ｇ、Ｂの平均値を求め色温度情報である係数Ｇ／Ｒ、Ｇ／Ｂを算出する（ステップＳ１２１）。
【０１１７】
画像処理部２２はバッファメモリ２６に一時記憶している画像データに画素補間、マトリクス処理を行う。ＷＢ補正部２２１がステップＳ１２１で算出した係数Ｇ／Ｒ、Ｇ／ＢをＲとＢの画素に掛けてＷＢ補正を行った後に、画像処理部２２はガンマ補正、輪郭補正などの画像処理を行う（ステップＳ１２２）。次に、画像処理部２２はステップＳ１２２で画像処理を行った画像データを圧縮し、圧縮した画像データは一旦画像メモリ２３に保存する。その後、メインマイコン部７００は前記画像データを順次メモリカード２５に記録する（ステップＳ１２３）。撮影はこれで終了である。
【０１１８】
図９は本発明の第２の実施の形態である白色拡散板８を透過した光像を撮像後、連続して被写体像を撮像する第２の撮影モードの概略の手順を説明するフローチャートである。なお、図９においては、デジタルカメラ１の電源が投入され、撮影モードとして連写モードＡが選択されて撮影待機状態になってからの処理について説明する。
【０１１９】
ステップＳ１０１からステップＳ１０４までの処理は、図８と同じなので同一符号を付して説明を省略し、ステップＳ１０４がＹｅｓの場合について説明する。以降の説明においても図８と同じ処理については同一符号を付し、説明を簡略化する。
【０１２０】
連写モードＡでは撮影したコマの画像処理を連写中に行えるように、被写体を照明する光源の色温度情報を先に取得し、その後で被写体の連写撮影を行っている。次のステップＳ２１１からステップＳ２１９で、白色拡散板８を透過した光像を撮像し、光源の色温度情報を算出する手順について説明する。
【０１２１】
ステップＳ２１１において、メインマイコン部７００は撮影のシーケンスを開始し、ミラー駆動部９１に指令を送り、ミラー３４を撮影レンズ３の光路から退避させる（ステップＳ２１１）。
【０１２２】
ＡＥ制御部７２はＲＡＭ７５に記録された露出値ＥＶ１（ＥＶ）から、白色拡散板８を透過する光量に適した絞り値とシャッタ速度の組み合わせを求め、絞り駆動部３３１に指令して絞り３３を前記絞り値に設定する（ステップＳ２１２）。次に、ＡＦ制御部７１はズーム・フォーカス駆動部３３２に指令し、撮影レンズ３００の焦点距離をワイド端に移動させ（ステップＳ２１３）、また焦点位置を高速で無限端方向に移動させ、無限端まで移動すると、反転して最近端方向に移動するように制御する（ステップＳ２１４）。本実施の形態では最初無限端方向に移動させているが、最近端方向に移動させても良い。メインマイコン部７００は撮影レンズ３００の合焦、非合焦にかかわらず焦点位置を連続して移動させるよう制御する。
【０１２３】
ＡＥ制御部７２はシャッタ５１の白色拡散板８が上方に移動して光路に入るよう、白色拡散板駆動室１１に指令する（ステップＳ２１５）。
【０１２４】
次に、ＡＥ制御部７２はシャッタ５１の第２のシャッタ部材５が上方に移動して光路を開放するよう、シャッタ駆動室２に指令する（ステップＳ２１６）。
【０１２５】
ステップＳ１１４で求めたシャッタ速度により決定される露光時間の間、撮像素子１００に露光し（ステップＳ２１７）、ＡＥ制御部７２はシャッタ５１の第１のシャッタ部材３が上方に移動して光路を閉鎖するよう、シャッタ駆動室２に指令する（ステップＳ２１９）。
【０１２６】
次のステップＳ２２０から連写撮影の手順を説明する。
【０１２７】
ＡＦ制御部７１は測距センサ４２の出力に応じて自動焦点制御を行う。焦点調節後に被写体までの距離Ｘ１の情報をＲＡＭ７５に記録する（ステップＳ２２０）。
【０１２８】
次に、ＡＥ制御部７２はＲＡＭ７５に記録された露出値ＥＶ１（ＥＶ）から絞り値とシャッタ速度の組み合わせを求め、絞り駆動部３３１に指令して絞り３３を前記絞り値に設定する（ステップＳ２２１）。メインマイコン部７００は連写撮影のシーケンスを開始し、ミラー駆動部９１に指令を送り、ミラー３４を撮影レンズ３の光路から退避させる（ステップＳ２２２）。
【０１２９】
ＡＥ制御部７２はシャッタ５１の第２のシャッタ部材５が上方に移動して光路を開放するよう、シャッタ駆動室２に指令する（ステップＳ２２４）。
【０１３０】
ステップＳ１０６で求めたシャッタ速度により決定される露光時間の間、撮像素子１００に露光し（ステップＳ２２４）、ＡＥ制御部７２はシャッタ５１の第１のシャッタ部材３が上方に移動して光路を閉鎖するよう、シャッタ駆動室２に指令する（ステップＳ２２６）。
【０１３１】
メインマイコン部７００は撮像素子１００から読み出した画像データをコマ番号とともにバッファメモリ２６に一時記憶し、所定のタイミングでミラー駆動部９１に指令を送り、ミラー３４を所定の位置に復帰させる（ステップＳ２２６）。ミラー３４に連動して、シャッタ５１は図７（ａ）に示すセット状態に戻り、第１のシャッタ部材３、白色拡散板８は開放状態に、第２のシャッタ部材５は閉鎖状態に戻る。
【０１３２】
メインマイコン部７００は、シャッタボタン６１が全押し（ＳＷ２  ＯＮ）かどうか、を判定する（ステップＳ２２７）。シャッタボタン６１が全押し（ＳＷ２  ＯＮ）の場合（ステップＳ２２７；Ｙｅｓ）、メインマイコン部７００はステップＳ２２０に戻る。
【０１３３】
シャッタボタン６１が全押し（ＳＷ２  ＯＮ）ではない場合（ステップＳ２２７；Ｎｏ）、
メインマイコン部７００はステップＳ１１９でバッファメモリ２６に一時記憶されたステップＳ１１７で露光された１コマの画像データを画像ムラ補正部に送り画像ムラの補正を行う（ステップＳ１２０）。色温度情報算出部７４はステップＳ１２０で画像ムラを補正された画像データから、Ｒ、Ｇ、Ｂの平均値を求め色温度情報である係数Ｇ／Ｒ、Ｇ／Ｂを算出する（ステップＳ１２１）。
【０１３４】
画像処理部２２はバッファメモリ２６に一時記憶している画像データに画素補間、マトリクス処理を行う。ＷＢ補正部２２１がステップＳ１２１で算出した係数Ｇ／Ｒ、Ｇ／ＢをＲとＢの画素に掛けてＷＢ補正を行った後に、画像処理部２２はガンマ補正、輪郭補正などの画像処理を行う（ステップＳ１２２）。次に、画像処理部２２はステップＳ１２２で画像処理を行った画像データを圧縮し、圧縮した画像データは一旦画像メモリ２３に保存する。その後、メインマイコン部７００は前記画像データを順次メモリカード２５に記録する（ステップＳ１２３）。
【０１３５】
なお、本実施の形態では撮影した画像をＷＢ補正後圧縮して記録しているが、画像のヘッダー部に色温度情報を記録し、画像データはＷＢ補正を行わずにＲＡＷデータのまま記録するようにしても良い。
【０１３６】
図１０は本発明の第３の実施の形態における撮像装置が行う白色拡散板８を透過した光像の撮像だけを行う第３の撮影モードの概略の手順を説明するフローチャートである。なお、図１０においては、デジタルカメラ１０１の電源が投入され、撮影モードとして色温度情報測定モードが選択されて撮影待機状態になってからの処理について説明する。
【０１３７】
図１０のステップＳ１０１からステップＳ１２１までの処理は、図８のＳ１０１からステップＳ１２１までの処理のうち、被写体の撮像に関するＳ１０７からステップＳ１１０のステップを行わないこと以外は同じである。ステップＳ１１１以降のステップで、白色拡散板８を透過する光像を撮像し、ステップＳ１２１で被写体を照明する光源の色温度情報を算出するが、図８と同じ処理なので同一符号を付し、説明を簡略化する。
【０１３８】
ステップＳ１２１で被写体を照明する光源の色温度情報を算出後、ステップＳ３０１において、ＷＢ補正部２２１がステップＳ１２１で算出した係数Ｇ／Ｒ、Ｇ／ＢをＲＡＭ７５に記憶させて（ステップＳ３０１）、色温度情報の測定を終了する。
【０１３９】
以上のように本実施の形態によれば、白色拡散板を光路上に短時間で挿抜可能な小型シャッタと、前記シャッタを制御し、白色拡散板の透過光から得られた色温度情報に基づいて正しいホワイトバランス調整がなされた高画質画像が簡単な手順で撮影できる撮像装置を提供できる。
【０１４０】
また、被写体画像のホワイトバランス調整以外にも種々の画像処理が考えられ、例えば、撮像素子上に付着した異物、ゴミな
どを被写体画像から除去することも可能である。
【図面の簡単な説明】
【０１４１】
【図１】本発明に係るシャッタの分解斜視図である。
【図２】本発明に係るシャッタの構成を示す側面図である。
【図３】本発明に係るシャッタ駆動室２による第２のシャッタ部材５の制御を説明するための模式図である。
【図４】本発明に係る撮像装置の外観図である。
【図５】本発明に係る撮像装置の断面図である。
【図６】本発明に係る撮像装置として機能するデジタルカメラ１０１の回路ブロック図である。
【図７】デジタルカメラ１０１の撮影時におけるシャッタ５１の動作を説明するための説明図である。
【図８】第１の実施の形態におけるデジタルカメラ１０１で行われる１コマ撮影時の処理の流れを示すフローチャートである。
【図９】第２の実施の形態におけるデジタルカメラ１０１で行われる連写撮影時の処理の流れを示すフローチャートである。
【図１０】第３の実施の形態におけるデジタルカメラ１０１で行われる色温度情報測定モードの処理の流れを示すフローチャートである。
【符号の説明】
【０１４２】
２  シャッタ駆動室
３  第１のシャッタ部材
５  第２のシャッタ部材
８  白色拡散板
１１  白色拡散板駆動室
５１  シャッタ
７４  色温度情報算出部
１００  撮像素子
１０１  デジタルカメラ
２２１  ＷＢ補正部
２２２  画像ムラ補正部
３００  撮影光学系
Ｌ  光軸
【図１】
2007017576.tif 000003
【図２】
2007017576.tif 000004
【図３】
2007017576.tif 000005
【図４】
2007017576.tif 000006
【図５】
2007017576.tif 000007
【図６】
2007017576.tif 000008
【図７】
2007017576.tif 000009
【図８】
2007017576.tif 000010
【図９】
2007017576.tif 000011
【図１０】
2007017576.tif 000012